(57)【要約】【課題】暖房運転を停止することなく霜取りが行えるようにしたヒートポンプ装置を提供する。【解決手段】冷媒を圧縮する圧縮機１と、圧縮され温度上昇した冷媒と熱媒体とを熱交換する冷媒熱交換器２と、膨張弁等の減圧手段３と、空気から熱を奪う空気熱交換器４と送風ファン７とが設けられた冷媒回路６で、前記空気熱交換器４は伝熱管８と多数枚のフィン９とで構成されたもので、前記空気熱交換器４の外気吸込側のフィン９と一体に電気ヒータ１０を備えたことにより、デフロスト運転はせずに、空気熱交換器４の霜取りは電気ヒータ１０の発熱で行うので、暖房や湯沸かしが途中で中断することがなく、極めて使用勝手が良いものであり、更に電気ヒータ１０はフィン９と一体に取り付けられているので、効率よく確実に霜取りが行え、暖房や湯沸かし運転に影響がなく良好に継続されるものである。【選択図】  図１
2007170694.tif 000002
【特許請求の範囲】
【請求項１】
冷媒を圧縮する圧縮機と、圧縮され温度上昇した冷媒と熱媒体とを熱交換する冷媒熱交換器と、膨張弁等の減圧手段と、空気から熱を奪う空気熱交換器と送風ファンとが設けられた冷媒回路で、前記空気熱交換器は伝熱管と多数枚のフィンとで構成されたものに於いて、前記空気熱交換器の外気吸込側のフィンと一体に電気ヒータを備えた事を特徴とするヒートポンプ装置。
【請求項２】
前記電気ヒータは、空気熱交換器のフィンを貫通して備えられた事を特徴とする請求項１記載のヒートポンプ装置。
【請求項３】
前記冷媒を、二酸化炭素冷媒とした事を特徴とする請求項１記載のヒートポンプ装置。
【発明の詳細な説明】
【技術分野】
【０００１】
この発明は、暖房或いは湯沸かし運転時の霜取り運転を防止したヒートポンプ装置に関するものである。
【背景技術】
【０００２】
従来よりこの種のものでは、冬期運転中に空気熱交換器に霜が付着することで、冷媒熱交換器での暖房や湯沸かし運転を停止させて、デフロスト（霜取り）運転を行わなければならないものであった。（例えば、特許文献１参照。）
【特許文献１】特開平５−２６５４４号公報
【発明の開示】
【発明が解決しようとする課題】
【０００３】
ところでこの従来のものでは、デフロスト運転中は暖房或いは湯沸かし運転停止されるので、この間は暖房或いは湯沸かしが出来ず、極めて使用勝手が悪いものであった。
【課題を解決するための手段】
【０００４】
この発明はこの点に着目し上記欠点を解決する為、特にその構成を、請求項１では、冷媒を圧縮する圧縮機と、圧縮され温度上昇した冷媒と熱媒体とを熱交換する冷媒熱交換器と、膨張弁等の減圧手段と、空気から熱を奪う空気熱交換器と送風ファンとが設けられた冷媒回路で、前記空気熱交換器は伝熱管と多数枚のフィンとで構成されたものに於いて、前記空気熱交換器の外気吸込側のフィンと一体に電気ヒータを備えたものである。
【０００５】
又請求項２では、前記電気ヒータは、空気熱交換器のフィンを貫通して備えたものである。
【０００６】
又請求項３では、前記冷媒を、二酸化炭素冷媒としたものである。
【発明の効果】
【０００７】
この発明の請求項１によれば、デフロスト運転はせずに、空気熱交換器の霜取りは電気ヒータの発熱で行うので、暖房や湯沸かしが途中で中断することがなく、極めて使用勝手が良いものであり、更に電気ヒータはフィンと一体に取り付けられているので、効率よく確実に霜取りが行え、暖房や湯沸かし運転に影響がなく良好に継続されるものである。
【０００８】
又請求項２によれば、電気ヒータがフィンを貫通して備えられているので、霜が付くフィンを直接加熱出来、少ない消費電力でも的確に霜を取ることが出来るものである。
【０００９】
又請求項３によれば、冷媒を二酸化炭素としたことにより、冷媒熱交換器で高温度での熱交換が行え、高温度の暖房や湯沸かしが行え、使用勝手が良いものである。
【発明を実施するための最良の形態】
【００１０】
次にこの発明の一実施形態について図面に基づいて説明する。
１は冷媒を圧縮する圧縮機で、凝縮器としての冷媒熱交換器２、電子膨張弁等からなる減圧手段３、蒸発器としての空気熱交換器４、アキュムレータ５を順に接続して冷媒回路６を構成するものであり、送風ファン７からの送風を受けて空気熱交換器４で空気から熱を奪い、冷媒熱交換器２で放熱して水を加熱するものである。
【００１１】
前記空気熱交換器４は、伝熱管８を多数枚のフィン９を貫通させて形成したものであり、このフィン９の外気吸込側には、複数本の電気ヒータ１０が前記フィン９を貫通して一体に取り付けられており、更に空気熱交換器４の室外側には、外気温を検知し霜が発生する所定温度以下で前記電気ヒータ１０を通電させる外気温センサ１１が備えられている。
【００１２】
１２は暖房用の放熱器で、往き管１３及び戻り管１４の循環回路１５により前記冷媒熱交換器２と連通し、循環回路１５途中に備えた循環ポンプ１６で加熱された温水を循環させて、放熱器１２で室内に放熱して暖房を行うものである。
【００１３】
次にこの一実施形態の作動について説明すれば、空気熱交換器４で送風ファン７の送風で空気の熱を奪い、圧縮機１で圧縮されることで奪った熱を更に高温にした状態で、冷媒熱交換器２に流入させることで、該冷媒熱交換器２で冷媒の二酸化炭素が超臨界状態となって、循環回路１５を循環する水を最高で９０℃程度の高い温度まで加熱することが可能なものである。
【００１４】
そして、冷媒熱交換器２で加熱された温水は放熱器１２に循環し、ここで放熱して室内を暖房するものであり、放熱で温度降下した循環水は循環ポンプ１６で再び冷媒熱交換器２に流通して加熱され、順次これを繰り返して室内の暖房を行うものである。
【００１５】
更に冬期では、空気熱交換器４に霜が付く恐れがあるが、ここでは外気温センサ１１が霜が付く恐れのある低温側の所定温度以下を検知することで、電気ヒータ１０を通電させて一体のフィン９を直接加熱すると共に、送風ファン７によって電気ヒータ１０側から空気が吸引され、電気ヒータ１０で加熱された空気が空気熱交換器４を通過して、空気熱交換器４全体の加熱も行われ、確実に霜の付着を阻止することが出来るものである。
【００１６】
又外気温センサ１１が高温側の所定温度以上を検知することで、一旦電気ヒータ１０の通電を停止させるが、再び外気温センサ１１が霜が付く恐れのある低温側の所定温度以下を検知すれば、電気ヒータ１０に通電して順次これを繰り返して、霜付きを確実に防止して上記の暖房を継続するようにしたものである。
【００１７】
デフロスト運転はせずに、空気熱交換器４の霜取りは霜が付着する前に電気ヒータ１０の発熱で行うので、暖房が途中で中断することがなく、極めて使用勝手が良いものであり、更に電気ヒータ１０はフィン９と一体に取り付けられているので、効率よく確実に霜付き防止され、暖房運転に影響がなく良好に継続されるものである。
【００１８】
尚、ここでは二次側の循環回路１５に放熱器１２を備えたが、貯湯タンクを備え順次高温水を貯湯し、必要に応じて給水と混合しながら設定温度の温水にして給湯するようにしても良いものである。
【図面の簡単な説明】
【００１９】
【図１】この発明の一実施形態を示すヒートポンプ装置の概略説明図。
【図２】同空気熱交換器の説明図。
【符号の説明】
【００２０】
１  圧縮機
２  冷媒熱交換器
３  減圧手段
４  空気熱交換器
６  冷媒回路
７  送風ファン
８  伝熱管
９  フィン
１０  電気ヒータ
【図１】
2007170694.tif 000003
【図２】
2007170694.tif 000004